(57)【特許請求の範囲】
【請求項１】
フラッシュ構造のパネルを構成する面材に形成された開口部に設けられる明かり窓部材であって、
開口部と略同形状に形成され光を透過する本体部と、
この本体部の外周に延設され、その裏面が開口部の縁部の外面側に当接する外周端部と、
前記本体部の裏面から突設され、開口部の縁部の内面側に係止する複数の係止爪部とを備え、
前記係止爪部は、前記外周端部と間隔をあけて、内方から斜め外方に向かって延出され、且つ、内方から外方に湾曲したフック状とされていることを特徴とする明かり窓部材。
【請求項２】
請求項１において、
前記本体部、前記外周端部及び係止爪部は、透光性樹脂材料により一体形成されていることを特徴とする明かり窓部材。
【請求項３】
請求項１または請求項２において、
前記本体部の表面は、凸湾曲形状に形成されると共に、微細な凹凸加工が施されていることを特徴とする明かり窓部材。
【発明の詳細な説明】
【技術分野】
【０００１】
本発明は、フラッシュ構造のパネルに設けられる明かり窓部材に関する。
【背景技術】
【０００２】
従来より、例えばトイレなどの出入り口に取り付けられたドアパネルに開口部を設け、その開口部に明かり窓部材が設けられたものが知られており、これによれば、明かり窓部材を透過する光の有無からトイレ内の照明の点灯状況を外部から確認することができる。
【０００３】
このような明かり窓部材としては、例えば下記特許文献１に開示されているものが挙げられる。
下記特許文献１には、ドアに設けられた取り付け穴にドアの両面外側から雄雌２部材を取り付けるものが記載されており、雄部材の先端には雄ねじを設けた弾力を有する第２微動板が数箇所設けられており、雌部材の内面には雌ねじが設けられている。
これによれば、雄部材を雌部材に押し込んで雄ねじを雌ねじに嵌め入れれば、雄雌２部材をワンタッチで取り付け穴に取り付けることができるとされている。
【先行技術文献】
【特許文献】
【０００４】
【特許文献１】特開平１０−１０２９４０号公報
【発明の概要】
【発明が解決しようとする課題】
【０００５】
しかしながら、上記特許文献１に記載されているような明かり窓部材は、雄雌の異なる２部材からなり、しかも部品点数が多いためコスト高となる。またこれら部材がフラッシュ構造のパネルに設けられる際には対向して設けられる双方のパネルの対応する位置に開口部を正確に形成する必要があり、施工上の手間が多かった。
さらに上記特許文献１に開示されている雄雌２部材は、取り付け穴に合わせて形成された円筒と取り付け穴の周縁部に係止される鍔部材で構成されている。しかし、この構成では、透光性レンズの周囲がこれら円筒及び鍔部材で覆われているため、光が透過する透光面積が狭く、明かり窓部材を透過する光の有無を正面の方向からしか確認できなかった。そのため、例えば玄関から直線的に廊下がのび、その廊下沿いにトイレがあるマンションなどにおいては、玄関口からトイレ内照明が点灯しているか否かを確認できなかった。
【０００６】
本発明は、上記実情に鑑みなされたものであり、単一の簡易な部材でしかも透光面積を大きく確保でき、取り付けが容易な明かり窓部材を提供することを目的とする。
【課題を解決するための手段】
【０００７】
本発明に係る明かり窓部材は、フラッシュ構造のパネルを構成する面材に形成された開口部に設けられる明かり窓部材であって、開口部と略同形状に形成され光を透過する本体部と、この本体部の外周に延設され、その裏面が開口部の外面側縁部に当接する外周端部と、前記本体部の裏面から突設され、開口部の内面側縁部に係止する複数の係止爪部とを備え、前記係止爪部は、前記外周端部と間隔をあけて、内方から斜め外方に向かって延出され、且つ、内方から外方に湾曲したフック状とされていることを特徴とする。
【０００８】
本発明において、前記本体部、前記外周端部及び係止爪部は、透光性樹脂材料により一体形成されているものとしてもよい。
また本発明において、前記本体部の表面は、凸湾曲形状に形成されると共に、微細な凹凸加工が施されているものとしてもよい。
【発明の効果】
【０００９】
本発明に係る明かり窓部材によれば、単一の簡易な部材でしかも透光面積を大きく確保でき、取り付けが容易なものとすることができる。
【図面の簡単な説明】
【００１０】
【図１】本発明の一実施形態に係る明かり窓部材を示す図であり、同明かり窓部材の取り付け状態を示す模式的断面図である。
【図２】同明かり窓部材の裏面側平面図である。
【図３】同明かり窓部材を内装扉に設けた一例を示す正面図である。
【発明を実施するための形態】
【００１１】
以下に本発明における明かり窓部材の実施形態の一例について、図１〜図３に基づいて説明する。なお、図１に示す明かり窓部材１，１の断面図は、図２におけるＺ−Ｚ線断面図を示している。
本実施形態に示す明かり窓部材１は、フラッシュ構造のパネル５を構成する面材６に形成された採光用の開口部７に設けられる明かり窓部材１であって、開口部７と略同形状に形成され光を透過する本体部２と、この本体部２の外周に延設され、その裏面３０が開口部７の外面側縁部７０に当接する外周端部３と、前記本体部２の裏面２１から突設され、開口部７の内面側縁部７１に係止する複数の係止爪部４とを備えている。
【００１２】
パネル５は、ドアハンドル５０を有した内装扉として使用され、ここではこのパネル５がトイレの出入口に設置された例について説明する（図３参照）。
パネル５は、略角柱形状に加工された芯材８を複数用いて長方形状のパネル状の枠体を構成し、その表裏両面に面材６，６を貼着したいわゆるフラッシュ構造の木質パネルで構成されている（図１参照）。
面材６，６としては合板、ＬＶＬ、パーティクルボード（ＰＢ）などの木質系材、芯材２１としては集成材、無垢材などを用いることができる。
【００１３】
芯材８を挟んで表裏両面に配された２枚の面材６，６の片側角部（パネル５の設置状態においては、上方片側角部）のそれぞれには開口部７，７が形成されており、これら開口部７，７のそれぞれには明かり窓部材１，１が嵌め入れられる。
開口部７の形状は、特に限定されるものではないが、図３に示すように円形状に形成されたものとしてもよい。
なお、ここではパネル５を構成する２枚の面材６，６において、外面側を６０、内面側（芯材８が配される側）を６１とし、面材６，６に形成される開口部７，７の外面側縁部を７０、内面側縁部を７１として説明する。またここで面材６，６の外面側６０には、さらに樹脂化粧シート（不図示）を貼着一体としたものとしてもよい。
【００１４】
明かり窓部材１を構成する本体部２、外周端部３及び係止爪部４は、透光性樹脂材料により一体形成されているものが望ましく、透光性樹脂材料としては、例えば透明なガラス色のアクリル樹脂、ポリカーボネート樹脂などを用いることができる。
このように明かり窓部材１を構成する本体部２、外周端部３及び係止爪部４を、透光性樹脂材料により一体形成されたものとした場合は、本体部２、本体部２の外周に延設される外周端部３で構成される面全体を透光部分とすることができる。そのため、従来の円筒及び鍔部材を備えたものに比べて、単一の簡易な部材でしかも透光面積を大きく確保することができる。
また従来の鍔部材のような明かり窓部材１の周囲を覆うものがなく、本体部２及び外周端部３の全体が光を透過するので、明かり窓部材１を透過する光を明かり窓部材１の正面に立たなくても横側からでも確認することができる。そのため、トイレ内の照明が点いているか否かを例えば玄関口などの少し離れた位置からでも確認することができる。
【００１５】
また明かり窓部材１を一部材で構成できるので、材料費を低減できるとともに部品点数を減らすことができ、面材６，６のそれぞれに取り付ける明かり窓部材１，１は同形状のものを共通して使用できるので、部材の共通化も図ることができる。
さらに従来は、パネルの色目にあわせて彩色の異なる鍔部材を複数用意しておく必要があり、これが部品点数を更に増加させる要因となっていた。しかし、本実施形態の明かり窓部材１は、全体が透光性樹脂材料からなるので、パネル５の色目を問わずに用いることができる。
そして従来においてフラッシュ構造のパネルに開口部を形成する際には、双方のパネルの対応する位置に開口部をそれぞれ正確に形成する必要があった。しかし、本実施形態の明かり窓部材１は、面材６，６のそれぞれに形成する開口部７，７の形成位置に若干のズレや誤差があっても、明かり窓部材１を取り付けることができ、従来の明かり窓部材を用いた場合に比べて施工上の手間も少ない。
【００１６】
本体部２は、開口部７と略同形状、ここに示す例では円形状に形成されており、図１に示すようにその表面２０は、凸湾曲形状に形成されたものとしてもよい。この場合は、本体部２の中央部分の厚みが最も厚く形成され、外周端部３に向かって次第に薄状に形成されているので、本体部２が凸レンズ面となって本体部２の裏面２１側から透過する光を拡散して出射させることができる。
【００１７】
また本体部２の表面２０には、図１のＸ部拡大図に示すように微細な凹凸加工が施されているものとしてもよい。本体部２の表面２０の凹凸加工の度合いは、特に限定されるものではないが、光が透光する程度に凹凸加工されるものが望ましい。
凹凸加工の加工方法も特に限定されるものではないが、例えば明かり窓部材１をシボ加工用の金型を用いて形成し、凹凸加工したものとしてもよいし、レーザー加工によって凹凸加工したものとしてもよい。
このように本体部２の表面２０に凹凸加工を施した場合は、表面２０側から入射する光が凹凸加工された表面２０にあたると乱反射する。
そのため、より広い範囲で光の透過を確認でき、しかも光の乱反射によって開口部６０の周側面７２や面材６と面材６の間に形成される空間をぼやかして目立たなくすることができる。
【００１８】
図１のＹ部拡大図に示すように明かり窓部材１の外周端部３は、開口部７の形状に合わせて略同形状に形成された本体部２から延設して形成され、外周端部３の裏面３０が開口部７の外面側縁部７０に当接するように鍔状に形成されている。
また外周端部３の周縁部３１は例えばＲ０．５程度にＲ加工されたものとしてもよく、この場合は、外周端部３の周縁部３１が丸みを帯びた見栄えのよいものとすることができる。
【００１９】
本体部２の裏面２１からは係止爪部４が複数突設され、この係止爪部４の先側部４０が開口部７の内面側縁部７１を係止するように形成されている。
係止爪部４の形状及び構成は、開口部７の内面側縁部７１を係止するものであれば、どのようなものでもよいが、外周端部３と間隔をあけて、内方から斜め外方に向かって延出されているものとしてもよい。図１に示す係止爪部４の例では、係止爪部４の先側部４０は内方から外方へ湾曲したフック状になっており、先側部４０の内面側縁部７１と当接する部位は面材６の内面側６１に対して略平行に係止されるように平坦に形成されている。
【００２０】
ここで面材６に開口部７を形成する際には、例えば面材６を構成する木繊維が毛羽立って、開口部７の周側面７２から内面側縁部７１にかけての厚みが若干ながら不均一となる場合がある。しかし、上記のように係止爪部４が内方から外方へ湾曲して形成されたものとした場合は、開口部７の周側面７２から内面側縁部７１にかけての僅かな厚みの違いがあっても、係止爪部４が変形することで明かり窓部材１を開口部７に係止できる。
またこの場合は、明かり窓部材１を開口部７に取り付けた状態において、外周端部３の裏面３０と係止爪部４、そして開口部７の周側面７２との間に僅かな隙間が形成される（図１のＹ部拡大図参照）。そのため、面材６に形成される開口部７に若干の寸法誤差が生じてもそれを吸収することができる。
【００２１】
なお、係止爪部４の湾曲度合いは特に限定されるものではないが、内側部４１は例えばＲ５〜Ｒ５．５程度に、また外側部４２は例えばＲ８前後にＲ加工されたものとしてもよい。
また係止爪部４は、少なくとも２箇所以上に設けられていればよいが、図２に示すように、３箇所に設けられたものとした場合は、開口部７に安定して取り付けることができる。
さらに係止爪部４の先側部４０が湾曲形成されたものとした場合は、明かり窓部材１をパネル５の開口部７に取り付ける際に押し込みやすく、またその際に開口部７周囲に傷をつけることを防ぐことができる。
【００２２】
このように構成された明かり窓部材１の取り付け要領は特に限定されるものではないが、次にその一例を図１を参照しながら、説明する。
まずパネル５のいずれか一方面の面材６に設けられた開口部７に明かり窓部材１を載置する。このとき、係止爪部４が面材６の外面側６０に当接された状態となる。そして明かり窓部材１に押圧力をかける。明かり窓部材１が押圧されると、係止爪部４の先側部４０の外表面が開口部７の外面側縁部７０に強く当接し、係止爪部４の先側部４０の湾曲部分が誘いとなって、変形されながら、開口部７内に押し込まれる。すると係止爪部４の先側部４０に形状を復元させようとする復元力が働いて、開口部７の内面側縁部７１まで押し込まれると、この内面側縁部７１に係止爪部４が係止される状態となる。
続いて他方面に設けられた開口部７にも同じ要領で明かり窓部材１を取り付ければ、面材６，６に形成された開口部７，７のそれぞれに明かり窓部材１が設けられたパネル５を得ることができる。
このように明かり窓部材１を開口部７に押し込むだけで、取付工具などを使うことなく、面材６に明かり窓部材１を容易に取り付けることができる。
【００２３】
以上、ここではトイレの出入口に設置された内装扉に適用された例を説明したが、これに限定されるものではなく、例えば洗面所の出入口に設置される内装扉にも適用してもよい。またパネル５はドアパネルに限定されず、フラッシュ構造のものであれば、内装パネル、間仕切りなどにも適用可能である。
また明かり窓部材１、開口部７の形状などは図例に限定されるものではなく、例えば開口部７が正方形の小さなものであってもよいし、横方向に長いもの、縦方向の全幅に形成されているものなどであってもよい。
【符号の説明】
【００２４】
１      明かり窓部材
２      本体部
３      外周端部
４      係止爪部
５      パネル
６      面材
７      開口部
８      芯材
【図１】
0005475499.tif 000002
【図２】
0005475499.tif 000003
【図３】
0005475499.tif 000004